(57)【特許請求の範囲】
【請求項１】
液体を包み込んだ本体部と、前記本体部の外面に突出して取り付けた突出片と、前記突出片に装着されて前記液体に関する識別情報を記憶可能なＩＣタグとを具備した液体封入容器において、
前記突出片が前記本体部のほぼ全周囲に形成されており、当該突出片に前記ＩＣタグ用のアンテナが張り巡らされたことを特徴とする液体封入容器。
【発明の詳細な説明】
【技術分野】
【０００１】
本発明は液体封入容器に係り、特に液体を包み込む本体部が柔軟性のある材料によって形成されている血液パックなどに好適な液体封入容器に関する。
【背景技術】
【０００２】
各種の産業分野では取り扱う物品又はその包装に当該物品に関する識別情報を記録させたバーコードやＩＣタグを取り付け、これらのバーコードやＩＣタグを読み込むことによって、物品の管理を行うことが普及している。
【０００３】
特にＩＣタグは記憶した識別情報をリーダ／ライタによって無線で自在に読み出すことができる。また、書き込み可能なタイプのＩＣタグではリーダ／ライタによって当該ＩＣタグに必要な識別情報を記憶させることもできる。このため、取り扱う物品が複雑な経路を辿り記憶させる識別情報が時々刻々に変化する場合や人命に係わるような重要なものである場合には、ＩＣタグを活用した物品の管理手法がきわめて有効な手段となり得る。
【０００４】
取り扱う物品が液体であり、液体封入容器に収容されている場合にも、ＩＣタグを活用した管理手法を採用することができる。この場合には、液体封入容器の外面に貼り付けたＩＣタグに必要な識別情報を記憶させることによって管理を行うことになる。
【０００５】
特許文献１には、このような管理手法の一例として、点滴容器にＩＣタグを貼り付け、このＩＣタグに記憶させた点滴情報をリーダ／ライタで読み取り、照合しながら、患者に対する点滴行為を実行する点滴支援システムが開示されている。
【０００６】
ところで、ＩＣタグには使用する周波数帯域によって電磁誘導方式とマイクロ波方式があり、用途によって使い分けられている。マイクロ波方式、特に２．４５ＧＨｚ帯の周波数を用いるマイクロ波方式のＩＣタグ（以下、２．４５ＧＨｚ型ＩＣタグという。）は電磁誘導方式に比べて、通信速度が速い、通信可能距離が長い、ノイズに強い、タグサイズを小さくできる、比較的安価であるといった数々の長所を有している。このため、２．４５ＧＨｚ型ＩＣタグは同じ種類の多数の物品を扱う物流関連の用途に適している。
【特許文献１】特開２００５−１０２９６０号公報
【発明の開示】
【発明が解決しようとする課題】
【０００７】
しかしながら、マイクロ波は水分などの液体に吸収され易い性質がある。このため、液体を封入した容器の本体部に２．４５ＧＨｚ型ＩＣタグを貼付した場合には、交信に使われる２．４５ＧＨｚ帯のマイクロ波が液体に吸収されて、交信障害を生じ、ＩＣタグに付与された識別情報の読み込み不良やＩＣタグへの識別情報の書き込み不良を招き易いという欠点があった。このような欠点は、２．４５ＧＨｚ型ＩＣタグに限らず、マイクロ波方式のＩＣタグに共通する欠点であった。
本発明の目的は、前記従来技術の欠点を改善し、マイクロ波方式のＩＣタグを装着した場合でも交信障害が生じにくく、通信性に優れた液体封入容器を提供することにある。
【課題を解決するための手段】
【０００８】
上記の目的を達成するために、本発明に係る液体封入容器は、液体を包み込んだ本体部と、前記本体部の外面に突出して取り付けた突出片と、前記突出片に装着されて前記液体に関する情報を記憶可能なＩＣタグとを具備したことを特徴とする。また、前記突出片が前記本体部のほぼ全周囲に形成されており、当該突出片に前記ＩＣタグ用のアンテナが張り巡らされたことを特徴とする。また、前記突出片の付け根にはミシン目が形成されており、当該ミシン目の位置で前記ＩＣタグが装着された突出片が切り離し可能とされたことを特徴とする。
【発明の効果】
【０００９】
本発明に係る液体封入容器は、ＩＣタグが本体部の外面から突出した突出片に装着されており、本体部に包み込んだ液体とＩＣタグの間隔を例えば１ｃｍ以上に離すことができる。このため、マイクロ波方式のＩＣタグを装着した場合でも、マイクロ波が液体に吸収されて、交信障害を生じ易いという欠点をカバーすることができる。したがって、本発明に係る液体封入容器は、ＲＦＩＤシステムによって管理する液体封入容器として便利である。
【発明を実施するための最良の形態】
【００１０】
図１は本発明に係る液体封入容器の第１実施形態を示す斜視図である。血液パック１０は本体部１２と封止部１４とからなる液体封入容器である。本体部１２はプラスチックフィルムなどの柔軟性のある材料によって形成されており、生体から採血した血液を包み込んでいる。本体部１２の封止部１４とは反対側の位置には本体部１２の外面から突出した突出片１６が設けられ、この突出片１６にＩＣタグ１８が装着されている。ＩＣタグ１８としては例えば２．４５ＧＨｚ帯の周波数を用いるマイクロ波方式のものが採用される。なお、突出片１６及びＩＣタグの取り付け位置は特に限定されず、図１の２点鎖線で示した位置に取り付けるようにしてもよい。また、突出片１６は製造の段階で本体部１２と一体的に成形することが可能であり、又は成形後の本体部１２に突出片１６を後付けすることも可能である。なお、血液パック１０は通常、冷凍保存されるので突出片１６及びＩＣタグは冷凍保存に適した材質、構造が選択される。
【００１１】
血液は医療用や医薬品製造用に利用されが、例えば輸血に利用する場合に血液の取り違えがあると生命に係わる医療事故を招く場合がある。したがって、取り違え等が発生しないように、その取り扱いには厳格な管理が要求される。本実施形態に係るＩＣタグ１８には図示しないＲＦＩＤシステムのリーダ／ライタから血液パック１０の管理に必要な識別情報を書き込み、記憶させることができる。また、記憶させた識別情報をリーダ／ライタによって読み込むことができる。このため、ＩＣタグ１８に書き込んだ識別情報を活用することによって、当該血液パック１０を緻密に管理することができる。
【００１２】
２．４５ＧＨｚ型のＩＣタグ１８は前記したように、通信速度が速い、通信可能距離が長い、ノイズに強い、タグサイズを小さくできる、比較的安価であるといった数々の長所を有している。また、ＩＣタグ１８は本体部１２の外面から突出した突出片１６に装着されており、本体部１２に封入した血液とＩＣタグ１８の間隔を例えば１ｃｍ以上に離すことができる。このため、マイクロ波が液体に吸収されて、交信障害を生じ易いという２．４５ＧＨｚ型ＩＣタグの欠点を、カバーすることができ、前記した長所を維持することができる。したがって、本実施形態に係る血液パック１０はＲＦＩＤシステムによって管理する血液パックとして特に有用である。
【００１３】
図２は本発明に係る液体封入容器の第２実施形態を示す斜視図である。図２において図１と同一の符号を付した要素は第１実施形態で説明した要素と同一の機能を有しており、説明を省略する。この第２実施形態に係る血液パック１０Ａは、本体部１２のほぼ全周囲に突出片１６Ａが形成されている。当該突出片１６ＡにＩＣタグ用のコイルタイプのアンテナ１８ａが張り巡らしてある。また、本体部１２の封止部１４とは反対側の位置にはＩＣタグ用のＩＣチップ１８ｂが取り付けてある。
【００１４】
この第２実施形態に係る血液パック１０Ａはアンテナ１８ａが広い面積にわたって張り巡らしてあるので、通信性能が向上する。このため、２．４５ＧＨｚ型ＩＣタグのみならず、ＵＨＦ帯の周波数を使用するマイクロ波方式又は電磁誘導方式のＩＣタグを装着する場合にも有効に機能する。
【００１５】
図３は本発明に係る液体封入容器の第３実施形態を示す斜視図である。図３において図１と同一の符号を付した要素は第１実施形態で説明した要素と同一の機能を有しており、説明を省略する。この第３実施形態に係る血液パック１０Ｂは、突出片１６Ｂの付け根にミシン目２０が形成されており、当該ミシン目２０の位置で前記ＩＣタグ１８が装着された突出片１６Ｂが切り離し可能とされている。
【００１６】
この第３実施形態に係る血液パック１０Ｂでは、本体部１２内の血液が使用され、当該血液パック１０Ｂを空パックとして廃棄する際に、ＩＣタグ１８が装着された状態の突出片１６Ｂをミシン目２０の位置で切り離す。そして、切り離したＩＣタグ１８を回収し、データチェックなどの目的に利用することができる。または、切り離したＩＣタグ１８を他の用途に転用することもできる。
【００１７】
前記各実施形態では液体封入容器が血液パックである場合について説明した。しかしながら、本発明が医療関連の液体封入容器に限らず、あらゆる用途の液体封入容器に適用することができる。図４は本発明に係る液体封入容器の第４実施形態を示す部分斜視図である。液体封入容器２２は例えば清涼飲料水を入れたペットボトルである。この肩部に突出片１６Ｃが設けられ、この突出片１６ＣにＩＣタグ１８が装着されている。本実施形態の液体封入容器２２は流通系、特にコンビニストアやスーパーマーケットなど小売段階での商品管理に有用である。
【図面の簡単な説明】
【００１８】
【図１】本発明に係る液体封入容器の第１実施形態を示す斜視図である。
【図２】本発明に係る液体封入容器の第２実施形態を示す斜視図である。
【図３】本発明に係る液体封入容器の第３実施形態を示す斜視図である。
【図４】本発明に係る液体封入容器の第４実施形態を示す斜視図である。
【符号の説明】
【００１９】
１０、１０Ａ，１０Ｂ………血液パック、１２………本体部、１４………封止部、１６，１６Ａ，１６Ｂ，１６Ｃ………突出片、１８………ＩＣタグ、１８ａ………アンテナ、１８ｂ………ＩＣチップ、２０………ミシン目、２２………液体封入容器。
【図１】
0004461436.tif 000002
【図２】
0004461436.tif 000003
【図３】
0004461436.tif 000004
【図４】
0004461436.tif 000005